(57)【特許請求の範囲】
【請求項１】
中芯を有する筆記具において、
前記中芯を保持する長尺状の本体部と、
前記本体部の前端部に一端が軸支され、前記中芯の前端部に他端が軸支されたアーム部と、を備え、
前記本体部の前記前端部と前記アーム部の前記一端とは、第１の軸部によって回動自在に連結され、
前記アーム部の前記他端には、前記アーム部の延在方向に沿って第１の長穴が形成され、前記中芯には、前記第１の長穴内に挿入されて回動自在に軸支される第２の軸部が形成され、
前記アーム部又は前記本体部には、前記本体部に沿って前進する前記中芯の先端部が挿入される中芯嵌合口を有するキャップ部が固定され、
前記第１の軸部を中心に回動する前記アーム部は、弾性体により前記本体部から離れる方向に付勢され、
前記中芯の後端には、第３の軸部が設けられ、前記本体部には、前記本体部の延在方向に沿って第２の長穴が設けられていることを特徴とするキャップ付き筆記具。
【請求項２】
前記第２の軸部の外周は、平行で対面する摺動面と、中芯の前後に位置する前面及び後面とを有する断面略長方形をなし、前記第１の長穴は、前記第２の軸部の厚みと略同じ幅で長手方向に延在するガイド穴と、前記第２の軸部の断面形状における対角線と略同じ長さの直径で前記ガイド穴の後端に形成された回動穴と、からなることを特徴とする請求項１に記載のキャップ付き筆記具。
【請求項３】
前記ガイド穴の前端側には、前記ガイド穴の縁部から前記ガイド穴内に突出して、前記中芯の先端を前記キャップ部に嵌めた状態で、前記第２の軸部の前記後面に当接して前記第２の軸部を係止させる係止突起が形成されていることを特徴とする請求項２に記載のキャップ付き筆記具。
【発明の詳細な説明】
【技術分野】
【０００１】
本発明は、キャップの紛失を防止するようにした筆記具に関するものである。
【背景技術】
【０００２】
従来、このような分野の技術として、特開２００７−２０３６８２号公報がある。この公報に記載された筆記具は、蛍光ペンであり、ノック機構によって中芯の出没を可能にしている。中芯の先端部には、軸線方向に移動自在なエアータイトスリーブが装着され、このエアータイトスリーブの前端には、ヒンジを介して開閉自在な蓋体が設けられている。この蓋体には、三角形状の係止部が設けられ、この係止部は、軸筒に形成されたストッパに当たることで、軸筒の窓部内に挿入可能である。このような筆記具にあっては、中芯がノック機構により前進させられると、中芯と一緒にエアータイトスリーブも前進し、エアータイトスリーブに設けられた蓋部の係止部がストッパに当たることで係止部が窓部内に入り込む。このとき、エアータイトスリーブの移動がストップさせられるが、中芯の前進は続いているので、蓋部が開放されながら中芯の先端が軸筒の先端から突出することになる。このような筆記具では、キャップを用いずに中芯のエアータイトを可能にしている。
【先行技術文献】
【特許文献】
【０００３】
【特許文献１】特開２００７−２０３６８２号公報
【発明の概要】
【発明が解決しようとする課題】
【０００４】
前述した筆記具は、キャップの紛失を防止する構成にはなっているが、中芯を出没させるためのノック機構を必要とし、筆記具自体の構造を複雑化するといった問題点がある。
【０００５】
本発明は、キャップの紛失防止を図る上で構造の簡素化を可能にした筆記具を提供することを目的とする。
【課題を解決するための手段】
【０００６】
本発明は、中芯を有する筆記具において、
中芯を保持する長尺状の本体部と、
本体部の前端部に一端が軸支され、中芯の前端部に他端が軸支されたアーム部と、を備え、
本体部の前端部とアーム部の一端とは、第１の軸部によって回動自在に連結され、
アーム部の他端には、アーム部の延在方向に沿って第１の長穴が形成され、中芯には、第１の長穴内に挿入されて回動自在に軸支される第２の軸部が形成され、
アーム部又は本体部には、本体部に沿って前進する中芯の先端部が挿入される中芯嵌合口を有するキャップ部が固定され、
第１の軸部を中心に回動するアーム部は、弾性体により本体部から離れる方向に付勢され、
中芯の後端には、第３の軸部が設けられ、本体部には、本体部の延在方向に沿って第２の長穴が設けられていることを特徴とする。
【０００７】
このキャップ付き筆記具においては、中芯を筆記状態にするにあたって、キャップ部から中芯を外すように中芯を指で後退させると、第２の軸部が第１の長穴に沿って移動する。そして、中芯の先端をキャップ部から外して、中芯から指を離すと、弾性力によってアーム部を第１の軸部を中心に自動的に回動させることができる。従って、中芯を筆記状態にする際に、筆記具の片手操作が極めて容易になる。この筆記具では、キャップ部がアーム部又は本体部に固定されているので、構造の簡素化を図りつつキャップ部の紛失を防止することができる。
【０００８】
また、中芯の後端には、第３の軸部が設けられ、本体部には、本体部の延在方向に沿って第２の長穴が設けられているので、中芯の後端が本体部から外れることなく、中芯を本体部に沿ってスムーズに後退及び前進させることができる。そして、中芯がキャップ部から外れ、第１の軸部を中心にアーム部が回動する。
【０００９】
また、第２の軸部の外周は、平行で対面する摺動面と、中芯の前後に位置する前面及び後面とを有する断面略長方形をなし、第１の長穴は、第２の軸部の厚みと略同じ幅で長手方向に延在するガイド穴と、第２の軸部の断面形状における対角線と略同じ長さの直径でガイド穴の後端に形成された回動穴と、からなると好適である。
このような構成を採用すると、第２の軸部がガイド穴に沿って移動している間は、アーム部の回動が規制され、回動穴内に第２の軸部が入り込むことで、アーム部の回動規制を解除させることができる。よって、中芯の先端がキャップ部から完全に外れた状態でアーム部を回動させることができ、中芯の先端がキャップ部に当たることが回避され、操作時にキャップ部によって中芯の先端が傷むことを防止できる。
【００１０】
また、ガイド穴の前端側には、ガイド穴の縁部からガイド穴内に突出して、中芯の先端をキャップ部に嵌めた状態で、第２の軸部の後面に当接して第２の軸部を係止させる係止突起が形成されていると好適である。
このような構成を採用すると、中芯の先端をキャップ部に嵌めた状態を確実に維持させることができる。しかも、中芯の先端がキャップ部に完全に嵌ったときのクリック感を出すことができる。
【発明の効果】
【００１１】
本発明によれば、キャップの紛失防止を図る上で構造が簡素化されている。
【図面の簡単な説明】
【００１２】
【図１】本発明に係るキャップ付き筆記具の第１の実施形態を示し、（ａ）は側面図、（ｂ）は斜視図である。
【図２】中芯を後退させた状態を示し、（ａ）は側面図、（ｂ）は斜視図である。
【図３】筆記状態を示し、（ａ）は側面図、（ｂ）は斜視図である。
【図４】筆記状態の筆記具を前方から見た斜視図である。
【図５】第１の長穴及び第２の軸部を示す側面図である。
【図６】多芯筆記具の分解斜視図である。
【図７】多芯筆記具の組み立て途中を示す斜視図である。
【図８】多芯筆記具の組み立て後を示す斜視図である。
【図９】本発明に係るキャップ付き筆記具の第２の実施形態を示す斜視図である。
【図１０】本発明に係るキャップ付き筆記具の第３の実施形態を示す斜視図である。
【図１１】図１０に示されたキャップ付き筆記具の分解斜視図である。
【発明を実施するための形態】
【００１３】
以下、図面を参照しつつ本発明に係るキャップ付き筆記具の好適な実施形態について詳細に説明する。なお、ペン先側を「前方側」として以下説明する。
【００１４】
図１〜図３に示されるように、キャップ付き筆記具１は、蛍光マーカーの中芯２を有し、この中芯２は、本体部３に格納させることができる。この本体部３は、長尺状で断面略コ字状をなす左右の側壁３ａと底壁３ｂを有している。本体部３の底壁３ｂの前端には、左右一対の軸受片４が立設され、軸受片４を掛け渡すように第１の軸部６が固定されている。そして、この第１の軸部６には、アーム部７の基端が回動自在に軸支され、アーム部７には、互いに平行に延在する左右一対のアーム片７ａが設けられている。そして、中芯２の格納状態において、軸線Ｌ方向で、軸受片４とアーム片７ａと側壁３ａとは一直線上に整列させられている。
【００１５】
各アーム片７ａには、アーム片７ａの延在方向に沿って第１の長穴８が形成され、中芯２の中芯本体２ａの前端側には、第１の長穴８に挿入される第２の軸部９が形成されている。左右のアーム片７ａの間には、アーム部７の基端側に位置するキャップ部１０が設けられ、キャップ部１０には、後方に向けて開放された中芯嵌合口１０ａが設けられている（図４参照）。この中芯嵌合口１０ａによって中芯２のチップ部２ｂがシールされる。
【００１６】
アーム部７は、弾性体の一例をなすねじりコイルばね１１によって、本体部３の底壁３ｂから離れる方向に付勢されている。このねじりコイルばね１１の巻き部１１ａは第１の軸部６に巻回され、ねじりコイルばね１１の一端１１ｂは、左右の軸受片４の間でアーム部７の基端側に形成された引掛け部７ｂに係止され、ねじりコイルばね１１の他端１１ｃは、本体部３の底壁３ｂに係止させられている。また、中芯２の中芯本体２ａには、長手方向に延在する操作部１２が設けられ、操作部１２の前後には、中芯２の前進時や後退時に指の引っ掛けを可能にする山形の突起部１２ａ，１２ｂが形成されている。
【００１７】
図５に示されるように、第２の軸部９は、平行で対面する摺動面９ａ，９ｂと、中芯２の前後に位置する前面９ｃ及び後面９ｄと、を有する断面略長方形をなす。第１の長穴８は、第２の軸部９の厚みＰと略同じ幅Ｗで長手方向に延在するガイド穴８ａと、第２の軸部９の断面形状における対角線Ｒと略同じ長さの径Ｄでガイド穴８ａの後端に形成された回動穴８ｂと、からなる。また、第２の軸部９の前面９ｃ及び後面９ｄは、回動穴８ｂの縁に沿って第２の軸部９が回動し易くなるように円弧状に形成され、前面９ｃ及び後面９ｄの曲率半径と回動穴８ｂの曲率半径とは略同じである。
【００１８】
このような構成を採用すると、第２の軸部９の摺動面９ａ，９ｂがガイド穴８ａの縁に沿って移動している間は、アーム部７の回動が規制され、回動穴８ｂ内に第２の軸部９が入り込むことで、アーム部７の回動規制を解除させることができる。よって、中芯２の先端がキャップ部１０から完全に外れた状態でアーム部７を回動させることができ、中芯２のチップ部２ｂの先端がキャップ部１０に当たることが回避され、操作時にキャップ部１０によって中芯２のチップ部２ｂの先端が傷むことを防止できる。
【００１９】
更に、ガイド穴８ａの前端側には、ガイド穴８ａの縁部からガイド穴８ａ内に突出する係止突起１４が形成され、上下一対の係止突起１４は、中芯２の先端をキャップ部１０に嵌めた状態で、第２の軸部９の後面９ｄに当接して第２の軸部９を係止させる。また、ガイド穴８ａの後端側には、ガイド穴８ａの縁部からガイド穴８ａ内に突出する上下一対の境界用突起１５が形成されている。境界用突起１５は、第２の軸部９が回動穴８ｂからガイド穴８ａ内に移行し難くして、第２の軸部９を回動穴８ｂ内で確実に回動させることができる。
【００２０】
係止突起１４の採用により、第２の軸部９の後退を阻止し、中芯２の先端をキャップ部１０に嵌めた状態を確実に維持させることができる。しかも、中芯２の先端がキャップ部１０に完全に嵌ったときのクリック感を出すことができる。
【００２１】
図１〜図３に示されるように、中芯２の後端には、中芯本体２ａから突出する第３の軸部１６が設けられ、本体部３の左右の側壁３ａには、その延在方向に沿って第２の長穴１７が形成されている。
【００２２】
このような構成を採用すると、中芯２の後端が本体部３から外れることなく、中芯２を本体部３に沿ってスムーズに後退及び前進させることができる。そして、中芯２がキャップ部１０から外れ、第１の軸部６を中心にアーム部７が回動し、図３に示されるように、キャップ部１０が中芯２に当たることで、中芯２の飛び出し量が規制され、その規制位置で中芯２の筆記状態を維持させることができる。
【００２３】
このキャップ付き筆記具１においては、アーム部７には、本体部３に沿って前進する中芯２のチップ部２ｂが挿入される中芯嵌合口１０ａを有するキャップ部１０が固定されているので、構造の簡素化を図りつつキャップ部１０の紛失を防止することができる。図２に示されるように、中芯２を筆記状態にするにあたって、キャップ部１０から中芯２を外すように中芯２の操作部１２を指で後退させると、第２の軸部９が第１の長穴８に沿って移動する。そして、図３に示されるように、中芯２の先端をキャップ部１０から外した後、中芯２の操作部１２から指を離すことで、ねじりコイルばね１１によってアーム部７は、第１の軸部６を中心に自動的に回動する。
【００２４】
従って、中芯２を筆記状態にする際に、筆記具１の片手操作が極めて容易になる。また、中芯２を格納状態にするには、中芯２の操作部１２を指で一旦後退させ、中芯２が本体部３に格納された状態で、本体部３に沿って中芯２の操作部１２を指で前進させて、中芯２の先端をキャップ部１０に嵌め込む。このとき、第２の軸部９が係止突起１４を通過した直後に、嵌め込み完了を感じるようなクリック感が得られる。
【００２５】
次に、前述した筆記具１を利用した多芯筆記具２０について説明する。
【００２６】
図６に示されるように、多芯筆記具２０に利用される単芯の筆記具１はそれぞれ異なる色のインクが充填されている以外は、同一の構造である。各筆記具１の本体部３の底壁３ｂは、１２０度の開き角度をもった断面略Ｖ字状の合わせ面Ａを有している。
【００２７】
さらに、この多芯筆記具２０は、各単芯筆記具１を一体化させるための締結部材２２，２３を有している。前側に位置する締結部材２２は、前端壁２２ａと、前端壁２２ａの外周から軸線Ｌ方向に延在して、隣接する筆記具１の側壁３ａ間に挿入され、側面３ａに当接する断面略Ｖ字状の合わせ面Ｂを有する３本の爪部２２ｂと、からなり、３本の爪部２２ｂは、等間隔に配置されている。そして、前端壁２２ａは、爪部２２ｂの間に切欠き部２２ｃが形成されている。
【００２８】
後側に位置する締結部材２３は、後端壁２３ａと、後端壁２３ａの外周から軸線Ｌ方向に延在して、隣接する筆記具１の側壁３ａ間に挿入され、アーム片７ａ及び軸受片４に当接する断面略Ｖ字状の合わせ面Ｂを有する３本の爪部２３ｂと、からなり、３本の爪部２３ｂは、等間隔に配置されている。また、筆記具１の本体部３の後端壁３ｃには、軸線Ｌ方向に突出する差込部２５が形成されている。
【００２９】
この差込部２５には、図１に示されるように、頭部２５ａが設けられ、差込部２５は、スリットＳにより２分割されてなる差込片２５Ａ，２５Ｂにより形成され。差込片２５Ａ，２５Ｂは、互いに離れる方向に弾性を備えている。これに対し、締結部材２３の後端壁２３ａには、差込部２５が挿入される開口部２６が形成されている（図６参照）。
【００３０】
多芯筆記具２０を組み立てるにあたって、図７に示されるように、隣接する底壁３ｂの合わせ面Ａ同士を突き合わせ、単芯筆記具１を一体化させる。その後、前後から締結部材２２，２３の各爪部２２ｂ，２３ｂを、隣接する筆記具１の側壁３ａ間に差し入れ、合わせ面Ｂをアーム片７ａ、軸受片４、側壁３ａに接触させながら、前端壁２２ａ及び後端壁２３ａを筆記具１に突き当てる。そして、筆記具１の差込部２５は、締結部材２３の開口部２６内に差し込まれる。このとき、差込部２５の弾性力によって頭部２５ａが開口部２６の縁に引っかかり、締結部材２３の抜け止めが達成される。このようにして、図８に示されるような多芯筆記具２０の組み立てが完了する。
【００３１】
本発明は、前述した実施形態に限定されないことは言うまでもない。
【００３２】
他の実施形態に係る変形例に係るキャップ付き筆記具３０について、図９に基づいて説明する。なお、図１に示されるキャップ付き筆記具１と同等な構成部分については、同一の符合を付して、その説明は省略する。
【００３３】
図９に示されるように、キャップ付き筆記具３０は、本体部３１の前端で一体に形成されたキャップ部３２を有し、このキャップ部３２には、左右一対の第１の軸部３２ｂが形成されている。左右一対のアーム片３３ａからなるアーム部３３の基端は、各第１の軸部３２ｂにより回動自在に軸支されている。そして、本体部３１に固定されたキャップ部３２には、本体部３１に沿って前進する中芯２のチップ部２ｂが挿入される中芯嵌合口３２ａが形成されている。
【００３４】
アーム部３３は、ねじりコイルばね３５によって本体部３１の底壁３１ｂから離れる方向に付勢されている。このねじりコイルばね３５の巻き部３５ａは第１の軸部３２ｂの周囲に巻回され、ねじりコイルばね３５の一端３５ｂは、アーム片３３ａの基端側に引っ掛けられ、ねじりコイルばね３５の他端３５ｃは、本体部３１の底壁３１ｂに係止させられている。
【００３５】
図１０及び図１１に示されるように、キャップ付き筆記具４０のキャップ部４２は、本体部４１の前端に別体として固定され、中芯嵌合口４２ａを有するキャップ部４２には、差込み片４２ｂが形成され、この差込み片４２ｂは、本体部４１の底壁４１ｂの前端に形成された差込み孔４１ａに圧入されて固定されている。本体部４１とキャップ部４２とを別部品にすることで、キャップ部４２を柔軟性のある材質にすることで、中芯２とキャップ部４２との密着嵌合性を向上させて、中芯２のチップ部２ｂを確実にシールすることができる。なお、他の構成は、図９に示されたキャップ付き筆記具３０と同一である。
【００３６】
前述したキャップ部１０，３２，４０の他の変形例として、中芯嵌合口１０ａ，３２ａ，４２ａ内に円筒状のシール部材を装填させてもよい。これによって、中芯２のチップ部２ｂを確実にシールすることができる。なお、シール部材を採用すると、シール部材に中芯嵌合口１０ａ，３２ａ，４２ａが配置されることになる。
【００３７】
本発明に係る筆記具としては、例えば、乾燥し易いインクを有する油性マーカー、ボードマーカー、水性マーカー、水性ボールペンなどへの適用が可能である。
【符号の説明】
【００３８】
１，３０，４０…キャップ付き筆記具、２…中芯、３，３１，４１…本体部、６，３２ｂ…第１の軸部、７，３３…アーム部、８…第１の長穴、８ａ…ガイド穴、８ｂ…回動穴、９…第２の軸部、９ａ，９ｂ…摺動面、９ｃ…前面、９ｄ…後面、１０ａ，３２ａ，４２ａ…中芯嵌合口、１０，３２，４２…キャップ部、１１，３５…ねじりコイルばね（弾性体）、１４…係止突起、１６…第３の軸部、１７…第２の長穴、２０…多芯筆記具、Ｌ…軸線。
【図１】
0005777428.tif 000002
【図２】
0005777428.tif 000003
【図３】
0005777428.tif 000004
【図４】
0005777428.tif 000005
【図５】
0005777428.tif 000006
【図６】
0005777428.tif 000007
【図７】
0005777428.tif 000008
【図８】
0005777428.tif 000009
【図９】
0005777428.tif 000010
【図１０】
0005777428.tif 000011
【図１１】
0005777428.tif 000012